(57)【特許請求の範囲】
【請求項１】
壁の貫通孔に取り付けられてその貫通孔を通る通し材を前記貫通孔の周端縁から保護する、保護部材であって、
前記貫通孔に嵌められる中空筒部と、その中空筒部から延設されて前記貫通孔の周端縁の壁面側に配置されるフランジ部とを備え、
前記フランジ部には、前記中空筒部と前記貫通孔の内面との間に進入して前記貫通孔の内面に螺入する取付ビスが通るための、通孔が設けられていることを特徴とする、通し材の保護部材。
【請求項２】
前記中空筒部の外面には、前記取付ビスのビス軸を案内する案内溝が、前記中空筒部の軸方向に沿って設けられていることを特徴とする、請求項１に記載の、通し材の保護部材。
【請求項３】
前記通孔は、前記取付ビスの頭部が前記フランジ部の表面から突出しないように、前記頭部を収容する、座ぐり孔を有していることを特徴とする、請求項１または２に記載の、通し材の保護部材。
【請求項４】
前記中空筒部の外面には、外方に延設されて前記貫通孔の内面に弾性的に係合する、バネ性を備えた弾性係止片が設けられていることを特徴とする、請求項１ないし３のいずれか１項に記載の、通し材の保護部材。
【請求項５】
請求項１ないし４のいずれか１項に記載の保護部材の、固定構造であって、
壁の貫通孔に前記中空筒部が挿入されるとともに、前記貫通孔の周端縁の壁面側に前記フランジ部が配置されて、取付ビスが、前記通孔を通って前記中空筒部と前記貫通孔の内面との間に進入して前記貫通孔の内面に螺入することにより、前記保護部材が前記貫通孔の開口部に取付固定されていることを特徴とする、保護部材の固定構造。
【請求項６】
前記壁は、コンクリート壁であって、
前記貫通孔は、前記コンクリート壁に埋設された平滑管によって形成されて、その平滑管の内面が、前記取付ビスが螺入する、前記貫通孔の内面となることを特徴とする、請求項５に記載の、保護部材の固定構造。
【請求項７】
中空筒部とその中空筒部から延設されたフランジ部とを備え、壁の貫通孔を通る通し材を前記貫通孔の周端縁から保護する保護部材が、
前記中空筒部が前記貫通孔に嵌められるとともに前記フランジ部が前記貫通孔の周端縁の壁面側に配置された状態で、前記中空筒部と前記貫通孔の内面との間に進入して前記貫通孔の内面に螺入する取付ビスによって、前記貫通孔に取付固定されていることを特徴とする、保護部材の固定構造。
【発明の詳細な説明】
【技術分野】
【０００１】
この発明は、壁の貫通孔に取り付けられる、通し材の保護部材、およびその保護部材の固定構造に関するものである。
【背景技術】
【０００２】
従来、貫通孔を通ってケーブルを配設する際に、ケーブルが貫通孔の周端縁と接触して傷つくのを防止する保護部材があった（例えば、特許文献１参照）。図９に示されるように、この保護部材２１は、貫通孔２０ａの周端縁の壁表面２０ｂに当接するフランジ部２２と、そのフランジ部２２から貫通孔２０ａ内に突出形成されて壁裏面２０ｃに係合する爪２３とを備えていた。
【０００３】
【特許文献１】特開平１１−２３４８６４
【発明の開示】
【発明が解決しようとする課題】
【０００４】
しかし、前記従来の保護部材２１にあっては、壁裏面２０ｃに係合する爪２３により、貫通孔２０ａに固定される構造であったため、決まった壁厚にしか対応できなかった。しかも、爪２３では、しっかりと壁裏面２０ｃに引っかからない場合があり、係止力が弱かった。
【０００５】
また、前記保護部材２１は、配線用ボックスとか配電盤等の引出孔（貫通孔２０ａ）に取り付けられるものであり、同様の保護部材２１が、建物の壁に明けられた貫通孔に対して用いられることは無かった。
【０００６】
この発明は、上記した従来の欠点を解決するためになされたものであり、その目的とするところは、壁厚に左右されることなく強固に固定することができる、通し材の保護部材および保護部材の固定構造を提供することにある。
【０００７】
【課題を解決するための手段】
【０００８】
この発明に係る通し材の保護部材、および保護部材の固定構造は、前記目的を達成するために、次の構成からなる。すなわち、
請求項１に記載の発明に係る通し材の保護部材は、壁の貫通孔に取り付けられてその貫通孔を通る通し材を前記貫通孔の周端縁から保護する、保護部材である。この保護部材は、前記貫通孔に嵌められる中空筒部と、その中空筒部から延設されて前記貫通孔の周端縁の壁面側に配置されるフランジ部とを備える。そして、前記フランジ部には、前記中空筒部と前記貫通孔の内面との間に進入して前記貫通孔の内面に螺入する取付ビスが通るための、通孔が設けられている。
【０００９】
この保護部材を壁の貫通孔に取り付けるには、中空筒部を貫通孔に挿入し、フランジ部を貫通孔の周端縁の壁面側に配置する。そして、取付ビスを、フランジ部に設けられた通孔を通して、中空筒部と貫通孔の内面との間に進入させるとともにその内面に螺入させる。こうして、保護部材は貫通孔に取付固定され、この保護部材の、特に中空筒部とフランジ部との境界部分が、貫通孔の周端縁を覆い、その周端縁から、通し材を保護する。そして、保護部材の貫通孔への取り付けにあたっては、取付ビスを貫通孔の内面に螺入させるため、壁厚に左右されることなく取り付けることができ、しかも、強固に固定することができる。
【００１０】
また、請求項２に記載の発明に係る通し材の保護部材のように、請求項１に記載の保護部材において、前記中空筒部の外面には、前記取付ビスのビス軸を案内する案内溝が、前記中空筒部の軸方向に沿って設けられてもよい。こうして、取付ビスは、そのビス軸が案内溝によって、中空筒部の軸方向に案内されるため、取付ビスを貫通孔の内面に的確に螺入させることができる。
【００１１】
また、請求項３に記載の発明に係る通し材の保護部材のように、請求項１または２に記載の保護部材において、前記通孔は、前記取付ビスの頭部が前記フランジ部の表面から突出しないように、前記頭部を収容する、座ぐり孔を有してもよい。こうして、取付ビスの頭部が座ぐり孔に収容されることから、通し材が取付ビスの頭部と接触するのを避けることができる。
【００１２】
また、請求項４に記載の発明に係る通し材の保護部材のように、請求項１ないし３のいずれか１項に記載の保護部材において、前記中空筒部の外面には、外方に延設されて前記貫通孔の内面に弾性的に係合する、バネ性を備えた弾性係止片が設けられてもよい。これにより、保護部材の中空筒部を貫通孔に挿入したときに、弾性係止片が貫通孔の内面に係合して、この保護部材は、貫通孔に仮止めされる。したがって、その後の、取付ビスによる貫通孔への保護部材の固定作業を容易に行うことができる。
【００１３】
また、請求項５に記載の発明に係る保護部材の固定構造は、請求項１ないし４のいずれか１項に記載の保護部材の、固定構造であって、壁の貫通孔に前記中空筒部が挿入されるとともに、前記貫通孔の周端縁の壁面側に前記フランジ部が配置されて、取付ビスが、前記通孔を通って前記中空筒部と前記貫通孔の内面との間に進入して前記貫通孔の内面に螺入することにより、前記保護部材が前記貫通孔の開口部に取付固定されている。
【００１４】
また、請求項６に記載の発明に係る保護部材の固定構造のように、請求項５に記載の固定構造において、前記壁は、コンクリート壁であって、前記貫通孔は、前記コンクリート壁に埋設された平滑管によって形成されて、その平滑管の内面が、前記取付ビスが螺入する、前記貫通孔の内面となってもよい。
【００１５】
また、請求項７に記載の発明に係る保護部材の固定構造は、中空筒部とその中空筒部から延設されたフランジ部とを備え、壁の貫通孔を通る通し材を前記貫通孔の周端縁から保護する保護部材が、前記中空筒部が前記貫通孔に嵌められるとともに前記フランジ部が前記貫通孔の周端縁の壁面側に配置された状態で、前記中空筒部と前記貫通孔の内面との間に進入して前記貫通孔の内面に螺入する取付ビスによって、前記貫通孔に取付固定されている。
【００１６】
この保護部材の固定構造によると、保護部材は、中空筒部と貫通孔の内面との間に進入してその貫通孔の内面に螺入する取付ビスによって、その貫通孔に取付固定されるため、保護部材を、壁厚に左右されることなく取り付けることができ、しかも、強固に固定することができる。そして、保護部材の、特に中空筒部とフランジ部との境界部分が、貫通孔の周端縁を覆い、その周端縁から、通し材を保護する。
【発明の効果】
【００１７】
この発明に係る通し材の保護部材および保護部材の固定構造によれば、取付ビスを貫通孔の内面に螺入させることで、保護部材を壁厚に左右されることなく強固に固定することができる。
【００１８】
【発明を実施するための最良の形態】
【００１９】
以下、この発明に係る通し材の保護部材、および保護部材の固定構造を実施するための最良の形態を図面に基づいて説明する。
【００２０】
図１〜図７は、本発明の一実施の形態を示す。図中符号１は、壁であって、例えば建物のコンクリート壁１０１からなり、図示実施の形態においては、天井Ｘから下方に突設された梁を構成するコンクリート壁からなる。１ａは、前記壁１としてのコンクリート壁１０１に明けられた貫通孔である。２は、前記貫通孔１ａを通る通し材であって、例えばケーブル（電線等の配線材）２０１からなる。３は、保護部材であって、前記壁１としてのコンクリート壁１０１の貫通孔１ａに取り付けられて（詳しくは、貫通孔１ａの一方側および他方側の両開口部にそれぞれ取り付けられて）その貫通孔１ａを通る前記通し材２としてのケーブル２０１を貫通孔１ａの周端縁１ｂから保護するものである。４は、前記保護部材３の固定構造である。５は、前記ケーブル２０１の配線構造である。
【００２１】
ここで、保護部材３は、前記貫通孔１ａに嵌められる中空筒部６と、その中空筒部６から延設されて貫通孔１ａの周端縁１ｂの壁面１ｃ側に配置されるフランジ部７とを備える。そして、フランジ部７には、中空筒部６と貫通孔１ａの内面１ｄとの間に進入して貫通孔１ａの内面１ｄに螺入する取付ビス８が通るための、通孔７ａが設けられている。
【００２２】
保護部材３の固定構造４は、前記貫通孔１ａに前記中空筒部６が挿入されるとともに、貫通孔１ａの周端縁１ｂの壁面１ｃ側に前記フランジ部７が配置される。そして、この固定構造４は、取付ビス８が、フランジ部７に明けられた通孔７ａを通って中空筒部６と貫通孔１ａの内面１ｄとの間に進入して貫通孔１ａの内面１ｄに螺入することにより、保護部材３が貫通孔１ａの開口部に取付固定されている。
【００２３】
また、ケーブル２０１の配線構造５は、前記保護部材３、すなわち中空筒部６とその中空筒部６から延設されたフランジ部７とを備える保護部材が、前記中空筒部６が建物のコンクリート壁１０１の貫通孔１ａに嵌められるとともに前記フランジ部７が貫通孔１ａの周端縁１ｂの壁面１ｃ側に配置された状態で、貫通孔１ａに取付固定される。そして、この配線構造５は、貫通孔１ａ内に配線されたケーブル２０１が、貫通孔１ａの周端縁１ｂから保護されるように、中空筒部６内を通って壁表９へと引き出されている。
【００２４】
具体的には、保護部材３は、合成樹脂製であって、前記中空筒部６と前記フランジ部７とが一体に成形されている。ここにおいて、中空筒部６は、略円筒形状に形成されており、この中空筒部６の外面には、前記取付ビス８のビス軸８ａを案内する案内溝６ａが、中空筒部６の軸方向に沿って設けられている。詳細には、一対の突起部としてのリブ６ｂ、６ｂが、中空筒部６の外面から、その周方向において対峙するようにして突出形成されており、これらリブ６ｂ、６ｂ間が、前記案内溝６ａとなっている。そして、リブ６ｂ、６ｂは、一端がフランジ部７の裏面から延びており、したがって、前記案内溝６ａは、取付ビス８が通る前記通孔７ａから連通するように形成される。
【００２５】
また、中空筒部６の外面には、外方に延設されて前記貫通孔１ａの内面１ｄに弾性的に係合する、バネ性を備えた弾性係止片６ｃが、設けられている。この弾性係止片６ｃは、前記リブ６ｂと並ぶように、一対設けられており、それら弾性係止片６ｃ、６ｃの間に、前記取付ビス８の先端部分が進入する。詳細には、中空筒部６の外面の、弾性係止片６ｃが設けられる部分は、周囲よりも若干窪んで形成された窪み部６ｄとなっており、弾性係止片６ｃは、その窪み部６ｄにおいて、フランジ部７に対して離れた側から近づく側に向かって外方へと傾斜して延びている。
【００２６】
さらに、中空筒部６の外面には、凸部６ｅが、中空筒部６の径方向において対向位置する二ヶ所に設けられている。ここで、これら凸部６ｅ、６ｅの高さは、前記貫通孔１ａの内面１ｄに近接あるいは当接する高さとなっている。
【００２７】
フランジ部７は、中空筒部６の一方端において、その全周から円形状に延設されている。そして、このフランジ部７に明けられた前記通孔７ａは、取付ビス８の頭部８ｂがフランジ部７の表面から突出しないように、頭部８ｂを収容する、座ぐり孔７ｂを有している。これにより、取付ビス８のビス軸８ａだけでなく頭部８ｂもまた、中空筒部６の内面側に露出しないこととなる。また、この通孔７ａは、二つ設けられており、それら通孔７ａ、７ａは、フランジ部７の径方向において対向位置する。したがって、前記一対のリブ６ｂ、６ｂ、案内溝６ａ、さらには一対の弾性係止片６ｃ、６ｃもまた、中空筒部６の径方向において対向位置するように二つ（二組）設けられる。
【００２８】
この保護部材３とか固定構造４によると、保護部材３をコンクリート壁１０１（壁１）の貫通孔１ａに取り付けるには、中空筒部６を貫通孔１ａに挿入し、フランジ部７を貫通孔１ａの周端縁１ｂの壁面１ｃ側に配置する。そして、取付ビス８を、フランジ部７に設けられた通孔７ａを通して、中空筒部６と貫通孔１ａの内面１ｄとの間に進入させるとともに、ビス軸８ａが貫通孔１ａの貫通方向に延びた状態で、その取付ビス８を貫通孔１ａの内面１ｄに螺入させる。
【００２９】
こうして、保護部材３は、貫通孔１ａに取付固定され、この保護部材３の、特に中空筒部６とフランジ部７との境界部分が、貫通孔１ａの周端縁１ｂを覆い、その周端縁１ｂから、ケーブル２０１（通し材２）を保護する。しかも、取付ビス８の頭部８ｂが座ぐり孔７ｂに収容されることから、ケーブル２０１（通し材２）が取付ビス８の頭部８ｂと接触するのを避けることができる。そして、保護部材３の貫通孔１ａへの取り付けにあたっては、取付ビス８を貫通孔１ａの内面１ｄに螺入させるため、壁厚（壁１の厚さ）に左右されることなく取り付けることができ、しかも、強固に固定することができる。
【００３０】
ところで、保護部材３の中空筒部６を貫通孔１ａに挿入したときに、弾性係止片６ｃが貫通孔１ａの内面１ｄに係合して、この保護部材３は、貫通孔１ａに仮止めされる。したがって、その後の、取付ビス８による貫通孔１ａへの保護部材３の固定作業を容易に行うことができる。また、取付ビス８は、そのビス軸８ａが案内溝６ａによって、中空筒部６の軸方向に案内されるため、取付ビス８を貫通孔１ａの内面１ｄに的確に螺入させることができる。
【００３１】
また、配線構造５によると、保護部材３が、建物のコンクリート壁１０１の貫通孔１ａに取付固定され、その保護部材３の、特に中空筒部６とフランジ部７との境界部分が、貫通孔１ａの周端縁１ｂを覆い、その周端縁１ｂから、ケーブル２０１を保護する。つまり、保護部材３を建物のコンクリート壁１０１の貫通孔１ａに取付固定することで、その貫通孔１ａを通るケーブル２０１を的確に保護することができる。
【００３２】
なお、本発明は、上述した実施の形態に限定されるわけではなく、その他種々の変更が可能である。例えば、貫通孔１ａの内面１ｄには、コンクリート壁１０１のコンクリートが露出していなくとも、図８に示すように、貫通孔１ａは、コンクリート壁１０１に埋設された塩ビ管（塩化ビニル樹脂管）等の平滑管１０によって形成されて、その平滑管１０の内面が、前記取付ビス８が螺入する、貫通孔１ａの内面１ｄとなってもよい。
【００３３】
また、壁１は、コンクリート壁１０１でなくとも、その他の材料を用いた壁であってもよい。さらに、壁１は、建物の壁でなくとも、建造物とか構築物等の壁であってもよい。また、通し材２は、ケーブル２０１でなくとも、配管材等であってもよい。
【００３４】
また、中空筒部６の外面には、案内溝６ａとか弾性係止片６ｃが設けられているが、これら案内溝６ａと弾性係止片６ｃの一方あるいは両方は、無くともよい。
【図面の簡単な説明】
【００３５】
【図１】この発明の一実施の形態の、縦断面図である。
【図２】同じく、図１における要部拡大断面図である。
【図３】同じく、図２におけるＡ−Ａ線による部分拡大断面図である。
【図４】同じく、保護部材の正面図である。
【図５】同じく、図４におけるＢ矢視図である。
【図６】同じく、図４におけるＣ矢視図である。
【図７】同じく、保護部材の斜視図である。
【図８】この発明の他の実施の形態の、図２相当図である。
【図９】従来の保護部材を示す断面図である。
【符号の説明】
【００３６】
１  壁
１０１  コンクリート壁
１ａ  貫通孔
１ｂ  周端縁
１ｃ  壁面
１ｄ  内面
２  通し材
２０１  ケーブル
３  保護部材
４  固定構造
５  配線構造
６  中空筒部
６ａ  案内溝
６ｃ  弾性係止片
７  フランジ部
７ａ  通孔
７ｂ  座ぐり孔
８  取付ビス
８ａ  ビス軸
８ｂ  頭部
９  壁表
１０  平滑管
【図１】
0005283419.tif 000002
【図２】
0005283419.tif 000003
【図３】
0005283419.tif 000004
【図４】
0005283419.tif 000005
【図５】
0005283419.tif 000006
【図６】
0005283419.tif 000007
【図７】
0005283419.tif 000008
【図８】
0005283419.tif 000009
【図９】
0005283419.tif 000010